(57)【要約】【課題】略コの字または略Ｕ字形状の蛍光ランプにおいて、マーキングを施すことなく、一端部と他端部とを判別しやすくすることを目的とする。【解決手段】内面に蛍光体層１０１が形成され、略コの字または略Ｕ字形状のバルブ１０２と、バルブ１０２の両端部の内部に設けられた電極１０３、１０４と、一端部が電極に接続されかつ他端部が前記バルブの外部に導出したリード線１０５、１０６と、リード線１０５、１０６に接続された給電端子１０７、１０８とを有する蛍光ランプ１００において、バルブ１０２の管軸を含む平面に対して略垂直な向きから見た場合に、一方の給電端子１０７と他方の給電端子１０８とが判別可能である。【選択図】図１
2011023166.tif 000002
【特許請求の範囲】
【請求項１】
内面に蛍光体層が形成され、略コの字または略Ｕ字形状のバルブと、前記バルブの両端部の内部に設けられた電極と、一端部が前記電極に接続されかつ他端部が前記バルブの外部に導出したリード線と、前記リード線に接続された給電端子とを有する蛍光ランプにおいて、
前記バルブの管軸を含む平面に対して略垂直な向きから見た場合に、一方の給電端子と他方の給電端子とが判別可能であることを特徴とする蛍光ランプ。
【請求項２】
前記一方の給電端子と前記他方の給電端子との見かけ上の形状が異なることを特徴とする請求項１に記載の蛍光ランプ。
【請求項３】
前記一方の給電端子と前記他方の給電端子との周回方向の向きが異なることを特徴とする請求項１または２に記載の蛍光ランプ。
【請求項４】
前記一方の給電端子と前記他方の給電端子との周回方向の向きが１５［°］以上１６５［°］以下の範囲内で異なることを特徴とする請求項３に記載の蛍光ランプ。
【請求項５】
前記給電端子の長手方向において、前記一方の給電端子と前記他方の給電端子との位置が異なることを特徴とする請求項１に記載の蛍光ランプ。
【請求項６】
前記給電端子は、前記バルブの端部を覆う本体部と、前記本体部から延伸し、前記リード線に接続される接続部とを有し、
前記一方の給電端子と、前記他方の給電端子との接続部の形状が異なることを特徴とする請求項１に記載の蛍光ランプ。
【請求項７】
前記給電端子は、前記バルブの端部を覆う本体部と、前記本体部から延伸し、前記リード線に接続される接続部とを有し、
前記本体部には、スリットが設けられ、
前記一方の給電端子と前記他方の給電端子のそれぞれのスリットを介して見える前記蛍光体層の端の位置が異なることを特徴とする請求項１に記載の蛍光ランプ。
【請求項８】
請求項１〜７のいずれか１項に記載の蛍光ランプを備えることを特徴とする照明装置。
【請求項９】
請求項１〜７のいずれか１項に記載の蛍光ランプの前記一方の給電端子と他方の給電端子とを判別する工程と、前記蛍光ランプを照明装置の内部に備え付ける工程とを有することを特徴とする照明装置の製造方法。
【請求項１０】
請求項８に記載の照明装置を備えることを特徴とする画像表示装置。
【発明の詳細な説明】
【技術分野】
【０００１】
本発明は、蛍光ランプ、照明装置、照明装置の製造方法および画像表示装置に関する。
【背景技術】
【０００２】
従来の照明装置の斜視図を図１１に示す。従来の照明装置（以下、「照明装置１」という。）は、例えば直下型のバックライトユニットであって、複数のＵ字形の蛍光ランプ２が配置されている（例えば特許文献１等参照）。
【先行技術文献】
【特許文献】
【０００３】
【特許文献１】特開平６−２７３７５０号公報
【発明の概要】
【発明が解決しようとする課題】
【０００４】
一般的に、蛍光ランプは、管軸が略重力方向に沿う状態で直管形状のバルブの内部に蛍光体層を形成するための懸濁液を塗布するため、塗布した後の懸濁液が重力方向に流れ落ちていくことで、一端部と他端部とで、蛍光体層の厚みが異なることが多い。
【０００５】
略コの字または略Ｕ字形状の蛍光ランプにおいても、例えば照明装置に複数の蛍光ランプを備え付ける場合には、一端部と他端部とを判別して、一端部と他端部とが交互となるように備え付ける等しなければ、一端部と他端部との蛍光体層の厚みの差異によって、照明装置の輝度にむらが生じてしまうおそれがある。
【０００６】
また、近年、蛍光ランプには、照明装置への備え付けの簡易化のために、両端部に給電端子が装着されている。給電端子が装着されている場合には、照明装置に設けられたソケットに給電端子を嵌め込めばよく、従来のように半田付けにより照明装置に備え付けなくてよいためである。
【０００７】
両端部に給電端子が装着された蛍光ランプの一端部と他端部とを判別するには、どちらか一方の給電端子にマーキングを施すことが考えられる。
【０００８】
しかしながら、略Ｕ字または略コの字形状の蛍光ランプは、その両端部が略水平となるようにして保管されることが多く、マーキングがバルブを周回するように施されていなければ、マーキングを認識することができない場合がある。すなわち、その両端部が略水平となるように保管されている蛍光ランプを見る向き（バルブの管軸を含む平面に対して略垂直な向き）から見た場合に、蛍光ランプの一端部と他端部とを判別できることが好ましい。さらに、バルブを周回するようにマーキングを施すには、そのためのマーキング装置が必要となり、作業性および費用の面での負担が大きい。
【０００９】
そこで、本発明に係る蛍光ランプは、略コの字または略Ｕ字形状の蛍光ランプにおいて、マーキングを施すことなく、一端部と他端部とを判別しやすくすることを目的とする。
【００１０】
また、本発明に係る照明装置、照明装置の製造方法および画像表示装置は、略コの字または略Ｕ字形状の蛍光ランプを備える場合に、輝度むらを抑制することを目的とする。
【課題を解決するための手段】
【００１１】
上記の課題を解決するために、本発明に係る蛍光ランプは、内面に蛍光体層が形成され、略コの字または略Ｕ字形状のバルブと、前記バルブの両端部の内部に設けられた電極と、一端部が前記電極に接続されかつ他端部が前記バルブの外部に導出したリード線と、前記リード線に接続された給電端子とを有する蛍光ランプにおいて、前記バルブの管軸を含む平面に対して略垂直な向きから見た場合に、一方の給電端子と他方の給電端子とが判別可能であることを特徴とする。
【００１２】
また、本発明に係る蛍光ランプは、一方の給電端子と他方の給電端子との見かけ上の形状が異なることが好ましい。ここで、「見かけ上の形状」とは、バルブの管軸を含む平面に対して略垂直な向きから蛍光ランプを見た場合の平面形状のことをいう。
【００１３】
また、本発明に係る蛍光ランプは、前記一方の給電端子と前記他方の給電端子との周回方向の向きが異なることが好ましい。ここで、「周回方向の向き」とは、リード線の長手方向を回転軸とした回転方向の向きのことをいう。
【００１４】
さらに、本発明に係る蛍光ランプは、前記一方の給電端子と前記他方の給電端子との周回方向の向きが１５［°］以上１６５［°］以下の範囲内で異なることが好ましい。
【００１５】
また、本発明に係る蛍光ランプは、前記給電端子の長手方向において、前記一方の給電端子と前記他方の給電端子との位置が異なることが好ましい。
【００１６】
また、本発明に係る蛍光ランプは、前記給電端子は、前記バルブの端部を覆う本体部と、前記本体部から延伸し、前記リード線に接続される接続部とを有し、前記一方の給電端子と、前記他方の給電端子との接続部の形状が異なることが好ましい。
【００１７】
また、本発明に係る蛍光ランプは、前記給電端子は、前記バルブの端部を覆う本体部と、前記本体部から延伸し、前記リード線に接続される接続部とを有し、前記本体部には、スリットが設けられ、前記一方の給電端子と前記他方の給電端子のそれぞれのスリットを介して見える前記蛍光体層の端の位置が異なることが好ましい。
【００１８】
本発明に係る照明装置は、前記蛍光ランプを備えることを特徴とする。
【００１９】
本発明に係る照明装置の製造方法は、前記蛍光ランプの前記一方の給電端子と他方の給電端子とを判別する工程と、前記蛍光ランプを照明装置に備え付ける工程とを有することを特徴とする。
【００２０】
本発明に係る画像表示装置は、前記照明装置を備えることを特徴とする。
【発明の効果】
【００２１】
本発明に係る蛍光ランプは、略コの字または略Ｕ字形状の蛍光ランプにおいて、マーキングを施すことなく、一端部と他端部とを判別しやすくすることができる。
【００２２】
また、本発明に係る照明装置、照明装置の製造方法および画像表示装置は、略コの字または略Ｕ字形状の蛍光ランプを備える場合に、輝度むらを抑制することができる。
【図面の簡単な説明】
【００２３】
【図１】本発明の第１の実施形態に係る蛍光ランプの正面図
【図２】同じく蛍光ランプの管軸を含む断面図
【図３】（ａ）同じく蛍光ランプの要部拡大側面図、（ｂ）同じく蛍光ランプの要部拡大正面図、（ｃ）一方の給電端子の接続前の蛍光ランプの要部拡大側面図、（ｄ）同じく蛍光ランプの要部拡大正面図
【図４】（ａ）一方の給電端子と他方の給電端子との周回方向の向きが１５［°］異なる場合の蛍光ランプの要部拡大側面図、（ｂ）同じく蛍光ランプの要部拡大正面図、（ｃ）一方の給電端子と他方の給電端子との周回方向の向きが４５［°］異なる場合の蛍光ランプの要部拡大側面図、（ｄ）同じく蛍光ランプの要部拡大正面図
【図５】本発明の第２の実施形態に係る照明装置の一部切欠正面図
【図６】本発明の第３の実施形態に係る画像表示装置の斜視図
【図７】（ａ）本発明の第１の実施形態に係る蛍光ランプの変形例１の要部拡大正面図、（ｂ）同じく蛍光ランプの変形例２の要部拡大正面図
【図８】（ａ）同じく蛍光ランプの変形例３の要部拡大正面図、（ｂ）同じく蛍光ランプの変形例４の要部拡大側面図（ｃ）同じく蛍光ランプの変形例４の要部拡大正面図
【図９】（ａ）同じく蛍光ランプの変形例５の要部拡大正面図、（ｂ）同じく蛍光ランプの変形例６の要部拡大正面図
【図１０】（ａ）給電端子の変形例１の要部拡大正面図、（ｂ）給電端子の変形例２の要部拡大正面図、（ｃ）給電端子の変形例３の要部拡大正面図
【図１１】従来の照明装置の斜視図
【発明を実施するための形態】
【００２４】
（第１の実施形態）
本発明の第１の実施形態に係る蛍光ランプの正面図を図１に、管軸Ｘ１００を含む断面図を図２にそれぞれ示す。本発明の第１の実施形態に係る蛍光ランプ（以下、「ランプ１００」という。）は、内面に蛍光体層１０１が形成され、略コの字または略Ｕ字形状のバルブ１０２と、バルブ１０２の両端部の内部に設けられた電極１０３、１０４と、一端部が電極１０３、１０４に接続されかつ他端部がバルブ１０２の外部に導出したリード線１０５、１０６と、リード線１０５、１０６に接続された給電端子１０７、１０８とを有する。
【００２５】
バルブ１０２は、例えばタングステン線封着用のホウ珪酸ガラス製で、その管軸が略コの字形状であって、管軸に対して垂直に切った断面が略円環形状である。具体的には、例えば外径が４［ｍｍ］、内径が３［ｍｍ］、全長が１５００［ｍｍ］である。なお、バルブ１０２は、その管軸が略コの字形状のものに限られず、例えばその管軸が略Ｕ字形状のものでもよい。
【００２６】
バルブ１０２の内部には、例えば３［ｍｇ］の水銀が封入され、またアルゴンやネオン等の希ガスが所定の封入圧、例えば４０［Ｔｏｒｒ］で封入されている。なお、希ガスとしては、例えばアルゴンとネオンとの混合ガスがＡｒ＝１０［ｍｏｌ％］、Ｎｅ＝９０［ｍｏｌ％］の比率で用いられる。
【００２７】
また、バルブ１０２の内面に形成されている蛍光体層１０１は、例えば赤色蛍光体（Ｙ2Ｏ3：Ｅｕ3+）、緑色蛍光体（ＬａＰＯ4：Ｃｅ3+，Ｔｂ3+）および青色蛍光体（ＢａＭｇ2Ａｌ16Ｏ27：Ｅｕ2+）からなる希土類蛍光体で形成されている。また、バルブ１０２の内面と蛍光体層１０１との間には、例えば酸化イットリウム（Ｙ2Ｏ3）、酸化ケイ素（ＳｉＯ2）、酸化アルミニウム（Ａｌ2Ｏ3）、酸化亜鉛（ＺｎＯ）、酸化チタン（ＴｉＯ2）等の金属酸化物の保護膜（図示せず）が設けられていてもよい。
【００２８】
電極１０３、１０４は、例えば有底筒状であって、内径が２．３［ｍｍ］、外径が２．７［ｍｍ］、底部の肉厚が０．２［ｍｍ］、全長が１０［ｍｍ］であって、ニッケル（Ｎｉ）製である。電極１０３、１０４の材料は、ニッケルに限らず、ニッケル、ニオビウム（Ｎｂ）、モリブデン（Ｍｏ）、タンタル（Ｔａ）およびタングステン（Ｗ）のいずれか１種以上等を用いることができる。なお、電極１０３、１０４の材料がニッケルとニオビウムとの合金の場合には、安価でかつ耐スパッタ性を向上させることができる。
【００２９】
電極１０３、１０４は、その外側底面の略中央部においてリード線１０５、１０６の一端面と接続されている。なお、電極１０３、１０４とリード線１０５、１０６とは、直接的に接続されていてもよいが、コバール製やニッケル製のろう材を介して間接的に接続されていてもよい。
【００３０】
リード線１０５、１０６は、例えば、電極１０３、１０４の外側底面と一端面が接続され、側面の一部においてバルブ１０２に封着される内部リード線１０５ａ、１０６ａと、内部リード線１０５ａ、１０６ａの他端部と一端部とが接続される外部リード線１０５ｂ、１０６ｂとの継線からなる。
【００３１】
内部リード線１０５ａ、１０６ａは、例えば線径が０．８［ｍｍ］であって、タングステン製である。なお、内部リード線１０５ａ、１０６ａは、バルブ１０２やビード１０９、１１０の材料として用いるガラスの熱膨張係数に併せた材料を用いることが好ましい。例えば、バルブ１０２がコバール線封着用のホウ珪酸ガラスの場合、鉄とニッケルとコバルトとの合金（コバール）を用いることが好ましい。また、バルブ１０２が鉛フリーガラスやソーダガラス等の軟質ガラスの場合、鉄とニッケルとの合金等を用いることが好ましい。
【００３２】
外部リード線１０５ｂ、１０６ｂは、例えば線径が０．６［ｍｍ］であって、ニッケル製である。なお、外部リード線１０５ｂ、１０６ｂの材料は、ニッケルに限らず、例えばニッケルとマンガンの合金またはジュメット線でもよい。
【００３３】
リード線１０５、１０６（ランプ１００の場合、内部リード線１０５ａ、１０６ａ）は、ビード１０９、１１０を介してバルブ１０２に封着されている。
【００３４】
ビード１０９、１１０は、略球形状であって、その略中心軸に沿って内部リード線１０５ａ、１０６ａを封着しており、例えばタングステン線封着用のホウ珪酸ガラス製である。なお、ビード１０９、１１０は、封着性の観点から、バルブ１０２と同一の材料、またはバルブ１０２と熱膨張係数が同一または近似する材料からなることが好ましい。なお、図１では、内部リード線１０５ａ、１０６ａは、ビード１０９、１１０を介してバルブ１０２に封着されているが、ピンチシール法等によりバルブ１０２に直接封着されていてもよい。
【００３５】
給電端子１０７、１０８は、バルブ１０２の端部を覆う本体部１０７ａ、１０８ａと、本体部１０７ａ、１０８ａから延伸し、リード線１０５、１０６（ランプ１００の場合、外部リード線１０５ｂ、１０６ｂ）に接続される接続部１０７ｂ、１０８ｂとを有する。給電端子１０７、１０８は、導電性であって、一枚の金属板を加工して、本体部１０７ａ、１０８ａおよび接続部１０７ｂ、１０８ｂが一体的に形成されている。給電端子１０７、１０８は、例えば、鉄とニッケルとの合金製である。給電端子１０７，１０８の材料は、鉄とニッケルとの合金に限らず、例えばステンレス等の鉄合金、リン青銅、黄銅または洋白等の銅合金等を用いることができる。なお、本体部１０７ａ、１０８ａと接続部１０７ｂ、１０８ｂとが別の材料により形成されていてもよい。
【００３６】
本体部１０７ａ、１０８ａは、略円筒形状である。
【００３７】
本体部１０７ａ、１０８ａの側面には径方向内側に突出して、バルブ１０２を支持する支持部１０７ｃ、１０８ｃが形成されている。これにより、本体部１０７ａ、１０８ａの支持部１０７ｃ、１０８ｃを除く部分がバルブ１０２と接触することを抑制し、バルブ１０２と本体部１０７ａ、１０８ａとの接触面積を小さくすることで、ランプ１００の点灯時に、電極１０３、１０４で発生した熱が給電端子１０７、１０８を通じて放熱されすぎるのを抑制することができ、電極１０３、１０４の周囲の温度が低下することによって電極１０３、１０４の周囲の水銀濃度が薄くなり、ランプ１００が点灯しにくくなるのを抑制することができる。
【００３８】
ランプ１００の場合、本体部１０７ａ、１０８ａの側面の一部を切り欠いて、給電端子１０７、１０８の長手方向の接続部１０７ｂ、１０８ｂ側から、接続部１０７ｂ、１０８ｂとは反対側に向かって延出する支持部１０７ｃ、１０８ｃが形成されている。
【００３９】
さらに、支持部１０７ｃ、１０８ｃは、その先端部近傍において、バルブ１０２とは反対側に折り曲げられていることが好ましい。支持部１０７ｃ、１０８ｃは、給電端子１０７、１０８の長手方向の接続部１０７ｂ、１０８ｂ側から、接続部１０７ｂ、１０８ｂとは反対側に向かって延出しているため、支持部１０７ｃ、１０８ｃがバルブ１０２とは反対側に折り曲げられていることで、バルブ１０２を本体部１０７ａ、１０８ａに挿入する際、支持部１０７ｃ、１０８ｃの先端部がバルブ１０２の径方向外側に開きやすく、バルブ１０２を挿入しやすくすることができる。
【００４０】
なお、支持部１０７ｃ、１０８ｃは、本体部１０７ａ、１０８ａの側面において周方向略等間隔に３つ以上形成されていることが好ましい。この場合、バルブ１０２をより安定して支持することができる。
【００４１】
支持部１０７ｃ、１０８ｃと本体部１０７ａ、１０８ａの支持部１０７ｃ、１０８ｃ以外の部分との間には、隙間が設けられていることが好ましい。この場合、給電端子１０７、１０８の取付け等の際、支持部１０７ｃ、１０８ｃが本体部１０７ａ、１０８ａに引っ掛かることを防止することができる。具体的には、図１に示すように、支持部１０７ｃ、１０８ｃの延出方向に沿う隙間Ｓ1は、０．１［ｍｍ］以上であることが好ましい。さらにより好ましくは、隙間Ｓ1は、０．２［ｍｍ］以上１．０［ｍｍ］以下の範囲内である。また、本体部１０７ａ、１０８ａの延出方向端部側の隙間Ｓ2は、０．２［ｍｍ］以上であることがより好ましい。さらにより好ましくは、隙間Ｓ2は、０．３［ｍｍ］以上１．０［ｍｍ］以下の範囲内である。
【００４２】
さらに、本体部１０７ａ、１０８ａの側面において、支持部１０７ｃ、１０８ｃとは給電端子１０７、１０８の長手方向反対側の向きに補助支持部材１０７ｄ、１０８ｄが形成されていてもよい。この場合、本体部１０７ａ、１０８ａのバルブ１０２に対する傾きを抑制することができ、バルブ１０２への負荷を低減することができる。
【００４３】
なお、本体部１０７ａ、１０８ａの内面とバルブ１０２の外面との間の空隙Ｓ3は、０．１［ｍｍ］以上であることが好ましい。この場合、本体部１０７ａ、１０８ａにバルブ１０２を挿入しやすくすることができる。さらには、空隙Ｓ3は、０．１［ｍｍ］以上０．５［ｍｍ］以下の範囲内であることがより好ましい。さらにより好ましくは、空隙Ｓ3は、０．１［ｍｍ］以上０．３［ｍｍ］以下の範囲内である。
【００４４】
接続部１０７ｂ、１０８ｂは、本体部１０７ａ、１０８ａから延伸し、リード線１０５、１０６（ランプ１００の場合、外部リード線１０５ｂ、１０６ｂ）に接続される。具体的には、接続部１０７ｂ、１０８ｂは、外部リード線１０５ｂ、１０６ｂに接続される接触部１０７ｅ、１０８ｅと、一端部が接触部１０７ｅ、１０８ｅに接続され、他端部が本体部１０７ａ、１０８ａに接続された連結部１０７ｆ、１０８ｆとを有する。
【００４５】
接触部１０７ｅ、１０８ｅは、例えば、筒状であって、その内部に外部リード線１０５ｂ、１０６ｂを通した後に、抵抗溶接やレーザー溶接等の溶接により、接続を安定させる。なお、接触部１０７ｅ、１０８ｅと外部リード線１０５ｂ、１０６ｂとの接続は、溶接に限らず、かしめや半田付け等を用いてもよい。
【００４６】
連結部１０７ｆ、１０８ｆは、接触部１０７ｅ、１０８ｅと本体部１０７ａ、１０８ａとを接続している。なお、連結部１０７ｆ、１０８ｆの延出方向に対して略垂直に切った断面積は、外部リード１０５ｂ、１０６ｂの線軸方向に対して略垂直に切った断面積よりも小さいことが好ましい。この場合、電極１０３、１０４で発生した熱が、外部リード線１０５ｂ、１０６ｂから連結部１０７ｆ、１０８ｆを介して本体部１０７ａ、１０８ａに放熱されすぎるのを防止することができる。
【００４７】
図１に示すように、バルブ１０２の管軸を含む平面に対して略垂直な向きから見た場合に、一方の給電端子１０７と他方の給電端子１０８とが判別可能である。
【００４８】
図１に示すランプ１００の場合、一方の給電端子１０７と他方の給電端子１０８との周回方向の向きが異なる。この場合、バルブ１０２の管軸を含む平面に対して略垂直な向きから見たときに、一方の給電端子１０７と他方の給電端子１０８との見かけの形状が異なることで、一方の給電端子１０７と他方の給電端子１０８とを判別することができる。
【００４９】
ランプ１００の要部拡大側面図を図３（ａ）に、要部拡大正面図を図３（ｂ）にそれぞれ示す。図３（ａ）に示すように、ランプ１００の一方の給電端子１０７と他方の給電端子１０８とは周回方向の向きが略９０［°］異なる。これにより、バルブ１０２の管軸を含む平面に対して略垂直な向きから見た場合に、一方の給電端子１０７と他方の給電端子１０８とが判別可能となる。なお、周回方向の向きは、例えば図３（ａ）に示すように、給電端子１０７、１０８の連結部１０７ｆ、１０８ｆと外部リード線１０５ｂ、１０６ｂとを含む線の角度によって求められる。すなわち、一方の給電端子１０７の連結部１０７ｆと外部リード線１０５ｂとを含む線（破線）と、他方の給電端子１０８の連結部１０８ｆと外部リード線１０６ｂとを含む線（一点鎖線）との角度の差Ｒにより求められる。
【００５０】
図３（ｂ）に示すように、バルブ１０２の管軸を含む平面に対して略垂直な向きから見た場合に、一方の給電端子１０７は、その連結部１０７ｆが外部リード線１０５ｂと重なり合って見えないが、他方の給電端子１０８は、その連結部１０８ｆが外部リード線１０６ｂと重なり合っていない部分が見える。この違いにより、一方の給電端子１０７と他方の給電端子１０８とを判別することができる。
【００５１】
また、一方の給電端子１０７と他方の給電端子１０８のそれぞれの接触部１０７ｅ、１０８ｅの見かけ上の大きさが異なることで、一方の給電端子１０７と他方の給電端子１０８とを判別することができる。この場合、一方の給電端子１０７と他方の給電端子１０８のそれぞれの接触部１０７ｅ、１０８ｅと外部リード線１０５ｂ、１０６ｂとの接続の際、給電端子１０７、１０８の周回方向の向きに合わせて、抵抗溶接やかしめの挟む方向を異ならせることが好ましい。
【００５２】
一方の給電端子１０７の接続前のランプ端部の要部拡大側面図を図３（ｃ）に、同じく要部拡大正面図を図３（ｄ）にそれぞれ示す。図３（ｃ）および（ｄ）に示すように、外部リード線１０５ｂと接続される前の接触部１０７ｅは、略円筒形状であって、外部リード線１０５ｂをその空洞部に挿入した状態で、その外側側面の対向する位置から挟み込むことで、外部リード線１０５ｂと接続される。この際、接触部１０７ｅは、挟み込まれる方向に対して略垂直な方向に引き伸ばされるように押しつぶされる。これにより、バルブ１０２の管軸を含む面に対して略垂直な向きから見た場合に、給電端子１０７が周回方向に回転するに伴い、接触部１０７ｅの見かけ上の形状（大きさ）を変化させることができる。
【００５３】
一方の給電端子１０７と他方の給電端子１０８との周回方向の向きが１５［°］異なる場合（すなわちＲ＝１５［°］の場合）のランプ１００の要部拡大側面図を図４（ａ）に、同じく要部拡大正面図を図４（ｂ）にそれぞれ示す。図４（ｂ）に示すように、一方の給電端子１０７は、その連結部１０７ｆが外部リード線１０５ｂと重なり合って見えないが、他方の給電端子１０８は、その連結部１０８ｆが外部リード線１０６ｂと重なり合っていない部分が見える。この違いにより、一方の給電端子１０７と他方の給電端子１０８とを判別することができる。なお、これは、一方の給電端子１０７と他方の給電端子１０８との周回方向の向きが１６５［°］異なる場合においても、他方の給電端子１０８の連結部１０８ｆと外部リード線１０５ｂとの重なりが逆になることを除いては同様である。そして、一方の給電端子１０７と他方の給電端子１０８との周回方向の向きが１５［°］から大きくなるほど、または１６５［°］から小さくなるほど他方の給電端子１０８の連結部１０８ｆが外部リード線１０６ｂと重なっていない部分が見かけ上大きくなるため、一方の給電端子１０７と他方の給電端子１０８とをより判別しやすくなる。すなわち、一方の給電端子１０７と他方の給電端子１０８との周回方向の向きは、１５［°］以上１６５［°］以下の範囲内で異なることが好ましい。この場合、給電端子１０７、１０８の連結部１０７ｆ、１０８ｆとリード線１０５、１０６（ランプ１００の場合、外部リード線１０５ｂ、１０６ｂ）との重なりかたの違いにより、一方の給電端子１０７と他方の給電端子１０８とを判別しやすくすることができる。さらに、バルブ１０２の管軸を含む平面に対して略垂直な向きから見た場合に、一方の給電端子１０７の連結部１０７ｆと外部リード線１０５ｂとが重なりあっていない場合を考慮すると、一方の給電端子１０７と他方の給電端子１０８との周回方向の向きは、３０［°］以上１５０［°］以下の範囲内で異なることが好ましい。この場合、バルブ１０２の管軸を含む平面に対して略垂直な向きから見た場合に、一方の給電端子１０７と他方の給電端子１０８の連結部１０７ｆ、１０８ｆが共に外部リード線１０５ｂ、１０６ｂと重なり合っていなくても、連結部１０７ｆ、１０８ｆの見かけ上の形状（大きさ）を検出して、一方の給電端子１０７と他方の給電端子１０８とを判別しやすくすることができる。
【００５４】
一方の給電端子１０７と他方の給電端子１０８との周回方向の向きが４５［°］異なる場合（すなわちＲ＝４５［°］の場合）のランプ１００の要部拡大側面図を図４（ｃ）に、同じく要部拡大正面図を図４（ｄ）にそれぞれ示す。図４（ｃ）および（ｄ）に示すように、一方の給電端子１０７の接触部１０７ｅよりも他方の給電端子１０８の接触部１０８ｅの方が見かけ上の大きさが大きくなっている。この違いにより、一方の給電端子１０７と他方の給電端子１０８とを判別することができる。なお、これは、一方の給電端子１０７と他方の給電端子１０８との周回方向の向きが１３５［°］異なる場合においても、同様である。そして、一方の給電端子１０７と他方の給電端子１０８との周回方向の向きが４５［°］から大きくなるほど、または１３５［°］から小さくなるほど他方の給電端子１０８の接触部１０８ｅの見かけ上の大きさが大きくなるため、一方の給電端子１０７と他方の給電端子１０８とを判別しやすくなる。すなわち、一方の給電端子１０７と他方の給電端子１０８との周回方向の向きは、４５［°］以上１３５［°］以下の範囲内で異なることがより好ましい。この場合、一方の給電端子１０７と他方の給電端子１０８の接触部１０７ｅ、１０８ｅの見かけ上の大きさの違いにより、一方の給電端子１０７と他方の給電端子１０８とを判別しやすくすることができる。
【００５５】
上記のとおり、本発明の第１の実施形態に係る蛍光ランプ１００の構成によれば、略コの字または略Ｕ字形状の蛍光ランプ１００において、マーキングを施すことなく、一端部と他端部とを判別しやすくすることができる。
【００５６】
（第２の実施形態）
本発明の第２の実施形態に係る照明装置の一部切欠正面図を図５に示す。本発明の第２の実施形態に係る照明装置（以下、「照明装置２００」という。）は直下方式のバックライトユニットであって、一つの面が開口した直方体状の筐体２０１と、この筐体２０１の内部に収納された複数のランプ１００と、ランプ１００を点灯回路（図示せず）に電気的に接続するためのソケット２０２と、筐体２０１の開口部を覆う光学シート類２０３とを備える。ランプ１００は、本発明の第１の実施形態に係る蛍光ランプ１００である。
【００５７】
筐体２０１は、例えばポリエチレンテレフタレート（ＰＥＴ）樹脂製であって、その内面に銀などの金属が蒸着されて反射面２０４が形成されている。なお、筐体２０１の材料としては、樹脂以外の材料、例えば、アルミニウムや冷間圧延材（例えばＳＰＣＣ）等の金属材料により構成してもよい。また、内面の反射面２０４として金属蒸着膜以外、例えば、ポリエチレンテレフタレート（ＰＥＴ）樹脂に炭酸カルシウム、二酸化チタン等を添加することにより反射率を高めた反射シートを筐体２０１に貼付したものを用いてもよい。
【００５８】
筐体２０１の内部には、ソケット２０２が配置されている。具体的には、ソケット２０２は、ランプ２００の配置に対応して筐体２０１の短手方向（縦方向）に各々所定間隔を空けて設けられている。ソケット２０２は、給電端子１０７、１０８と電気的に接続するための電気接続部２０２ａと、給電端子１０７、１０８と電気接続部２０２ａとの接触部付近を周囲から絶縁するための絶縁部２０２ｂとを有する。
【００５９】
電気接続部２０２ａは、例えばステンレスやりん青銅からなる板材を加工したものであって、給電端子１０７、１０８を嵌め込むことが可能なように略Ｕ字形状となっている。そして、給電端子１０７、１０８を、電気接続部２０２ａを押し拡げるように弾性変形させて嵌め込む。その結果、電気接続部２０２ａに嵌め込まれた給電端子１０７、１０８は、電気接続部２０２ａの復元力によって押圧され、外れにくくなる。これにより、給電端子１０７、１０８を電気接続部２０２ａへ容易に嵌め込むことができつつ、外れにくくすることができる。なお、電気接続部２０２ａは、給電リード線（図示せず）等を介して点灯回路（図示せず）に接続されている。なお、電気接続部２０２ａは、略Ｕ字形状のものに限らず、例えば、キャップ状、コイル状のもの等であってもよい。
【００６０】
絶縁部２０２ｂは、例えば、ポリエチレンテレフタレート（ＰＥＴ）製であって、給電端子１０７、１０８と電気接続部２０２ａとを囲むように設けられている。なお、絶縁部２０２ｂは、上記の構成に限定されない。電気接続部２０２ａはランプ１００の動作中に比較的高温となる電極１０３、１０４の近傍にあることから絶縁部２０２ｂは耐熱性のある材料で構成することが好ましい。耐熱性のある絶縁部２０２ｂの材料としては、例えば、ポリカーボネート（ＰＣ）樹脂やシリコンゴム等を適用することができる。
【００６１】
筐体２０１の内部には、必要に応じた場所にランプホルダ２０５が設けられていてもよい。筐体２０１内側でのランプ１００の位置を固定するランプホルダ２０５は、例えば、ポリカーボネート（ＰＣ）樹脂であり、ランプ１００の外面形状に沿うような形状を有している。「必要に応じた場所」とは、ランプ１００の長手方向の中央部付近のように、ランプ１００が例えば全長６００［ｍｍ］を越えるような長尺のものである場合に、ランプ１００のたわみを解消するために必要な場所である。なお、照明装置２００においては、ランプ１００の屈曲部付近を支えるためにランプホルダ２０５が設けられている。
【００６２】
筐体２０１の開口部は、透光性の光学シート類２０３で覆われており、内部にちりや埃などの異物が入り込まないように密閉されている。光学シート類２０３は、拡散板２０６、拡散シート２０７およびレンズシート２０８を積層してなる。
【００６３】
拡散板２０６は、例えばポリメタクリル酸メチル（ＰＭＭＡ）樹脂製の板状体であって、筐体２０１の開口部を塞ぐように配置されている。拡散シート２０７は、例えばポリエステル樹脂製である。レンズシート２０８は、例えばアクリル系樹脂とポリエステル樹脂の貼り合わせである。これらの光学シート類２０３は、それぞれ拡散板２０６に順次重ね合わせるようにして配置されている。
【００６４】
次に、照明装置２００の製造方法を以下に説明する。
【００６５】
照明装置２００の製造方法は、ランプ１００の一方の給電端子１０７と他方の給電端子１０８とを判別する工程（判別工程）と、ランプ１００を照明装置２００の内部に備え付ける工程（備付工程）とを有する。
１．判別工程
まず、包装箱や台等に載置されたランプ１００の一方の給電端子１０７と他方の給電端子１０８とを見て、その見かけ上の形状の違い等により、一方の給電端子１０７と他方の給電端子１０８とを判別する。
【００６６】
判別された一方の給電端子と他方の給電端子の向きに対応して、ランプ１００を回転させることによりランプ１００の向き合わせを行う。
【００６７】
なお、判別工程は、センサ等を用いて行ってもよい。センサは、例えば光学式センサの一種である画像センサであり、例えば外部リード線１０５ｂ、１０６ｂと給電端子１０７、１０８の接続部１０７ｂ、１０８ｂとの重なりの有無等を検出することにより一方の給電端子１０７と他方の給電端子１０８とを判別することができる。
２．備付工程
次に、ランプ１００を照明装置２００の内部に備え付ける。
【００６８】
図５に示すように、ソケット２０２の電気接続部２０２ａに給電端子１０７、１０８をそれぞれ嵌め込む。これにより、ランプ１００が照明装置２００に電気的に接続される。なお、照明装置２００にランプホルダ２０５が設けられている場合には、ランプホルダ２０５にバルブ１０２を嵌め込む。
【００６９】
図５に示すように、一方の給電端子１０７と他方の給電端子１０８とが交互となるようにランプ１００を照明装置２００に備え付けることで、蛍光体層１０１の厚い部分と薄い部分とが交互となるようになり、照明装置２００の輝度むらを抑制することができる。
【００７０】
なお、照明装置２００の大きさ、ランプ１００の本数、ランプ１００間の間隔等によって、ランプ１００の挿入する方向および位置は、適宜変更し得る。
【００７１】
以上の工程を経ることにより、照明装置２００が完成される。
【００７２】
上記のとおり、本発明の第２の実施形態に係る照明装置２００の構成によれば、輝度むらを抑制することができる。
【００７３】
（第３の実施形態）
本発明の第３の実施形態に係る画像表示装置の概要を図６に示す。図６に示すように画像表示装置３００は、例えば３２［ｉｎｃｈ］液晶テレビ（液晶表示装置）であり、液晶パネル等を含む液晶画面ユニット３０１と本発明の第２の実施形態に係る照明装置２００と点灯回路３０２とを備える。
【００７４】
液晶画面ユニット３０１は、公知のものであって、液晶パネル（カラーフィルター基板、液晶、ＴＦＴ基板等）（図示せず）、駆動モジュール等（図示せず）を備え、外部からの画像信号に基づいてカラー画像を形成する。
【００７５】
点灯回路３０２は、照明装置２００内部のランプ１００を点灯させる。そして、ランプ１００は、点灯周波数４０［ｋＨｚ］〜１００［ｋＨｚ］、ランプ電流３．０［ｍＡ］〜２５［ｍＡ］で動作される。
【００７６】
上記のとおり、本発明の第３の実施形態に係る画像表示装置３００の構成によれば、輝度むらを抑制することができる。
【００７７】
（変形例）
以上、本発明を上記した各実施形態に示した具体例に基づいて説明したが、本発明の内容が各実施形態に示した具体例に限定されないことは勿論であり、例えば、以下のような変形例を用いることができる。
１．蛍光ランプの変形例
１−１．変形例１
本発明の第１の実施形態に係る蛍光ランプの変形例１の正面図を図７（ａ）に示す。本発明の第１の実施形態に係る蛍光ランプの変形例１（以下、「ランプ１１１」という。）は、他方の給電端子１０８の構成が異なる点を除いて、ランプ１００と実質的に同じ構成を有するものである。よって、他方の給電端子１０８について詳細に説明し、その他の点については、説明を省略する。
【００７８】
ランプ１１１は、給電端子１０７、１０８の長手方向において、一方の給電端子１０７と他方の給電端子１０８との位置が異なる。
【００７９】
図７（ａ）に示すように、給電端子１０７、１０８の長手方向において、一方の給電端子１０７と他方の給電端子１０８のそれぞれの本体部１０７ａ、１０８ａにおけるランプ１１１中央部側の端の位置の違いＰ1を検出することにより、一方の給電端子１０７と他方の給電端子１０８とを判別することができる。また、一方の給電端子１０７と他方の給電端子１０８のそれぞれの接触部１０７ｅ、１０８ｅの先端の位置の違いＰ2を検出することによっても一方の給電端子１０７と他方の給電端子１０８とを判別することができる。さらに、一方の給電端子１０７と他方の給電端子１０７の支持部１０７ｃ、１０８ｃや補助支持部１０７ｄ、１０８ｄの位置の違いを検出することによって、一方の給電端子１０７と他方の給電端子１０８とを判別することもできる。
【００８０】
ランプ１１１は、他方の給電端子１０８が一方の給電端子１０７よりも外部リード線の先端部側にあるため、他方の給電端子１０８に接続される外部リード線１０６ｂが一方の給電端子１０７に接続される外部リード線１０５ｂよりも長い。なお、他方の給電端子１０８に接続される外部リード線１０６ｂは、一方の給電端子１０７に接続される外部リード線１０５ｂと略同じ長さであってもよい。
【００８１】
なお、Ｐ1およびＰ2は、１［ｍｍ］以上５［ｍｍ］以下の範囲内であることが好ましい。この場合、一方の給電端子１０７と他方の給電端子とを判別しやすく、他方の給電端子１０８側の外部リード線１０６ｂを長くしすぎることによって無効発光長が長くなるのを抑制することができる。より好ましくは、Ｐ1およびＰ2は、２［ｍｍ］以上４［ｍｍ］以下の範囲内である。
１−２．変形例２
本発明の第１の実施形態に係る蛍光ランプの変形例２の正面図を図７（ｂ）に示す。本発明の第１の実施形態に係る蛍光ランプの変形例２（以下、「ランプ１１２」という。）は、給電端子１０７、１０８の長手方向における他方の給電端子１０８の位置が異なる点を除いては、ランプ１１１と実質的に同じ構成を有する。よって、給電端子１０７、１０８の長手方向における他方の給電端子１０８の位置について詳細に説明し、その他の点については、説明を省略する。
【００８２】
ランプ１１２は、バルブ１０２の管軸に対して略垂直な方向から見た場合、一方の給電端子１０７側のバルブ１０２の端部は、一方の給電端子１０７の本体部１０７ａに隠れて見えないが、他方の給電端子１０８側のバルブ１０２の端部は、他方の給電端子１０８の本体部１０８ａよりも外部リード線１０６ｂの先端部側にあるために見える。よって、給電端子１０７、１０８の本体部１０７ａ、１０８ａより外部リード線１０５ｂ、１０６ｂ側において、バルブ１０２の端部が見えるか否かにより、一方の給電端子１０７と他方の給電端子１０８とを判別することができる。なお、他方の給電端子１０８側のバルブ１０２の端から他方の給電端子１０８の本体部１０８ａの外部リード線１０６ｂ側の端までの長さＰ3は、１［ｍｍ］以上５［ｍｍ］以下の範囲内であることが好ましい。この場合、一方の給電端子１０７と他方の給電端子１０８とを判別しやすく、他方の給電端子１０８の接触部１０８ｅがバルブ１０２の端部に近づきすぎて、外部リード線１０６ｂとの接続の際、バルブ１０２が熱衝撃等により損傷するのを防止することができる。より好ましくは、Ｐ3は、２［ｍｍ］以上４［ｍｍ］以下の範囲内である。
【００８３】
なお、バルブ１０２の管軸に対して略垂直な方向から見た場合、一方の給電端子１０７に接続される外部リード線１０５ｂの見かけ上の長さＰ4と他方の給電端子１０８に接続される外部リード線１０６ｂの見かけ上の長さＰ5の違いにより、一方の給電端子１０７と他方の給電端子１０８とを判別することもできる。Ｐ4とＰ5との差は、１［ｍｍ］以上５［ｍｍ］以下の範囲内であることが好ましい。この場合、一方の給電端子１０７と他方の給電端子１０８とを判別しやすく、他方の給電端子１０８側の外部リード線１０６ｂを長くしすぎることによって無効発光長が長くなるのを抑制することができる。より好ましくは、Ｐ4とＰ5との差は、２［ｍｍ］以上４［ｍｍ］以下の範囲内である。
【００８４】
なお、Ｐ5は、１［ｍｍ］以上７［ｍｍ］以下の範囲内であることが好ましい。この場合、一方の給電端子１０７と他方の給電端子１０８とを判別しやすく、他方の給電端子１０８の接触部１０８ｅがバルブ１０２の端部に近づきすぎて、外部リード線１０６ｂとの接続の際、バルブ１０２が熱衝撃等により損傷するのを防止することができる。より好ましくは、Ｐ5は、３［ｍｍ］以上５［ｍｍ］以下の範囲内である。
１−３．変形例３
本発明の第１の実施形態に係る蛍光ランプの変形例３の要部拡大正面図を図８（ａ）に示す。本発明の第１の実施形態に係る蛍光ランプの変形例３（以下、「ランプ１１３」という。）は、給電端子１０７、１０８の長手方向における他方の給電端子１０８の位置が異なる点を除いては、ランプ１１１と実質的に同じ構成を有する。よって、給電端子１０７、１０８の長手方向における他方の給電端子１０８の位置について詳細に説明し、その他の点については、説明を省略する。
【００８５】
ランプ１１３は、給電端子１０７、１０８の長手方向において、一方の給電端子１０７と他方の給電端子１０８の位置が略同じで、他方の給電端子１０８に接続される外部リード線１０６ｂが、一方の給電端子１０７に接続される外部リード線１０５ｂよりも長い。具体的には、一方の給電端子１０７に接続される外部リード線１０５ｂの先端が一方の給電端子１０７の接触部１０７ｅの先端と略同じ位置にあるのに対して、他方の給電端子１０８に接続される外部リード線１０６ｂの先端が他方の給電端子１０８の接触部１０８ｅから突出した位置にある。よって、外部リード線１０５ｂ、１０６ｂの長さの違いを検出することによって、一方の給電端子１０７と他方の給電端子１０８とを判別することができる。
【００８６】
なお、他方の給電端子１０８に接続される外部リード線１０６ｂが他方の給電端子１０８の接触部１０８ｅから突出している部分の長さＰ6は、１［ｍｍ］以上４［ｍｍ］以下の範囲内であることが好ましい。この場合、一方の給電端子１０７と他方の給電端子１０８とを判別しやすく、他方の給電端子１０８側の外部リード線１０６ｂを長くし過ぎることによって無効発光長が長くなるのを抑制することができる。より好ましくは、Ｐ6は、２［ｍｍ］以上３［ｍｍ］以下の範囲内である。
１−４．変形例４
本発明の第１の実施形態に係る蛍光ランプの変形例４の要部拡大正面図を図８（ｂ）に示す。本発明の第１の実施形態に係る蛍光ランプの変形例４（以下、「ランプ１１４」という。）は、他方の給電端子１０８に接続される外部リード線１０６ｂと他方の給電端子１０８の接触部１０８ｅの構成が異なる点を除いては、ランプ１１３と実質的に同じ構成を有する。よって、他方の給電端子１０８に接続される外部リード線１０６ｂと他方の給電端子１０８の接触部１０８ｅについて詳細に説明し、その他の点については、説明を省略する。
【００８７】
ランプ１１４は、一方の給電端子１０７と他方の給電端子１０８の接触部１０７ｅ、１０８ｅの形状が異なる。具体的には、一方の給電端子１０７と他方の給電端子１０８とで、接触部１０７ｅ、１０８ｅのかしめられる方向が異なる。これにより、例えば、図８（ｂ）に示すように、一方の給電端子１０７の接触部１０７ｅは、バルブ１０２の管軸を含む平面に対して略垂直な方向の長さが略平行な方向の長さよりも長く、他方の給電端子１０８の接触部１０８ｅは、バルブ１０２の管軸を含む平面に対して略垂直な方向の長さが略平行な方向の長さよりも短いため、バルブ１０２の管軸に対して略垂直な方向から見た場合、一方の給電端子１０７の接触部１０７ｅの幅Ｐ7と、他方の給電端子１０８の接触部１０８ｅの幅Ｐ8とが異なる。
【００８８】
なお、Ｐ7とＰ8との差は、０．５［ｍｍ］以上３［ｍｍ］以下の範囲内であることが好ましい。この場合、一方の給電端子１０７と他方の給電端子１０８とを判別しやすく、接触部１０７ｅ、１０８ｅの成形時に負荷がかかり難くすることができる。より好ましくは、Ｐ7とＰ8との差は、１［ｍｍ］以上３［ｍｍ］以下の範囲内である。
１−５．変形例５
本発明の第１の実施形態に係る蛍光ランプの変形例５の要部拡大正面図を図９（ａ）に示す。本発明の第１の実施形態に係る蛍光ランプの変形例５（以下、「ランプ１１５」という。）は、他方の給電端子１０８の接触部１０８ｅの構成が異なる点を除いて、ランプ１１４と実質的に同じ構成を有する。よって、他方の給電端子１０８の接触部１０８ｅについて詳細に説明し、その他の点については、説明を省略する。
【００８９】
ランプ１１５は、一方の給電端子１０７と他方の給電端子１０８の接触部１０７ｅ、１０８ｅの溶接方法が異なる。これにより、一方の給電端子１０７と他方の給電端子１０８の接触部１０７ｅ、１０８ｅの形状が異なり、この違いを検出することにより、一方の給電端子１０７と他方の給電端子１０８とを判別することができる。
【００９０】
具体的には、一方の給電端子１０７は、抵抗溶接により外部リード線１０５ｂと接続されている。この場合、完全に溶けることなく、かしめによって、つぶれたような形状になっている、一方、他方の給電端子１０８の接触部１０８ｅは、レーザー溶接により外部リード線１０６ｂに接続されている。この場合、他方の給電端子１０８の接触部１０８ｅは、完全に溶けてしまい、原型をとどめずに略球形状となっている。
【００９１】
なお、一方の給電端子１０７と他方の給電端子１０８の接触部１０７ｅ、１０８ｅの接続方法は、抵抗溶接とレーザー溶接とに限られず、例えば、かしめと半田付け等のように種々の方法を選択することが可能である。
１−６．変形例６
本発明の第１の実施形態に係る蛍光ランプの変形例６の要部拡大正面図を図９（ｂ）に示す。本発明の第１の実施形態に係る蛍光ランプの変形例６（以下、「ランプ１１６」という。）は、給電端子１０７、１０８と蛍光体層１０１の構成が異なる点を除いては、ランプ１１５と実質的に同じ構成を有する。よって、給電端子１０７、１０８と蛍光体層１０１の構成について詳細に説明し、その他の点については、説明を省略する。
【００９２】
ランプ１１６は、本体部１０７ａ、１０８ａにスリットが設けられ、一方の給電端子１０７と他方の給電端子１０８のスリットを介して見える蛍光体層１０１の端の位置が異なる。ランプ１１６の場合、スリットとは、例えば、支持部１０７ｃ、１０８ｃと本体部１０７ａ、１０８ａの支持部１０７ｃ、１０８ｃ以外の部分との間であって、支持部１０７ｃ、１０８ｃの延出方向に沿う隙間Ｓ1である。この場合、一方の給電端子１０７と他方の給電端子１０８の隙間Ｓ1を介して見える蛍光体層１０１の端の位置が異なることで、一方の給電端子１０７と他方の給電端子１０８とを判別することができる。
【００９３】
なお、一方の給電端子１０７と他方の給電端子１０８のスリットを介して見える蛍光体層１０１の端の位置の差Ｐ9は、１［ｍｍ］以上６［ｍｍ］以下の範囲内であることが好ましい。この場合、一方の給電端子１０７と他方の給電端子１０８とを判別しやすく、他方の給電端子１０７、１０８を長くしすぎることによって無効発光長が長くなるのを抑制することができる。さらに、より好ましくは、Ｐ9は、２［ｍｍ］以上６［ｍｍ］以下の範囲内である。
【００９４】
なお、スリットを介して見える蛍光体層の端の位置で一方の給電端子と他方の給電端子とを判別する場合、隙間Ｓ1は、０．５［ｍｍ］以上３［ｍｍ］以下の範囲内であることが好ましい。この場合、一方の給電端子１０７と他方の給電端子１０８とを識別しやすく、給電端子１０７，１０８の強度を維持することができる。より好ましくは、隙間Ｓ1は、２［ｍｍ］以上３［ｍｍ］以下の範囲内である。
【００９５】
さらに、スリットは、例えば、補助支持部材１０７ｄ、１０８ｄと本体部１０７ａ、１０８ａの補助支持部材１０７ｄ、１０８ｄ以外の部分との間であって、補助支持部材１０７ｄ、１０８ｄの延出方向に沿う隙間Ｓ4であってもよい。
【００９６】
さらに、一方の給電端子１０７のスリットを介して見える位置に蛍光体層１０１の一端があり、他方の給電端子１０８のスリットを介して見える位置に蛍光体層１０１の他端がないという構成であってもよい。この場合、給電端子１０７、１０８のスリットを介して見える蛍光体層１０１の端の有無により、一方の給電端子１０７と他方の給電端子１０８とを判別することができる。
２．給電端子の変形例
給電端子は、給電端子１０７、１０８に限らず、種々の構成のものを用いることができる。
２−１．変形例１
給電端子の変形例１の要部拡大正面図を図１０（ａ）に示す。給電端子の変形例１（以下、「給電端子１１７」という。）は、筒状の本体部１１７ａと、本体部１１７ａから延伸した接続部１１７ｂとを有し、本体部１１７ａの側面には、スリット１１７ｃにより弾性片が形成されている。給電端子１１７は、本体部１１７ａに形成される弾性片によって、バルブ１０２を支持することができる。
【００９７】
なお、スリット１１７ｃは、本体部１１７ａの周方向に略等間隔に３つ以上形成されていることが好ましい。この場合、本体部１１７ａの弾性片によるバルブ１０２の支持を安定化しやすくすることができる。
【００９８】
なお、本体部１１７ａは、接続部１１７ｂ側とは反対側の端部に本体部１１７ａの他の部分よりも縮径した部分を有することが好ましい。この場合、その縮径した部分において、バルブ１０２の外面と接触することで、本体部１１７ａの弾性片によるバルブ１０２の支持を安定化しやすくすることができる。
【００９９】
給電端子１１７は、本発明の第１の実施形態に係る蛍光ランプおよびその変形例１〜６に適用することができる。特に、本発明の第１の実施形態に係る蛍光ランプの変形例１〜６を適用する場合に、一方の給電端子と他方の給電端子とを判別しやすくすることができる。
２−２．変形例２
給電端子の変形例２の要部拡大正面図を図１０（ｂ）に示す。給電端子の変形例２（以下、「給電端子１１８」という。）は、本体部１１８ａの構成を除いては、給電端子１１７と実質的に同じ構成を有する。よって、本体部１１８ａについて詳細に説明し、その他の点については、説明を省略する。
【０１００】
給電端子１１８は、本体部１１８ａの接続部１１８ｂ側とは反対側の端部に、バルブ１０２の側に突出した支持部１１８ｄを有する。給電端子１１８は、この支持部１１８ｄがバルブの外面に接触することにより、本体部１１８ａによるバルブ１０２の支持を安定化させることができる。
【０１０１】
給電端子１１８は、本発明の第１の実施形態に係る蛍光ランプおよびその変形例１〜６に適用することができる。特に、本発明の第１の実施形態に係る蛍光ランプの変形例１〜６を適用する場合に、一方の給電端子と他方の給電端子とを判別しやすくすることができる。
２−３．変形例３
給電端子の変形例３の要部拡大正面図を図１０（ｃ）に示す。給電端子の変形例３（以下、「給電端子１１９」という。）は、本体部および接続部がコイルにより形成されている。この場合、本体部１１９ａをバルブ１０２の外径に合わせて縮径または拡径することができ、本体部１１９ａによるバルブ１０２の支持を安定化させることができる。
【０１０２】
さらに、接続部１１９ｂは、外部リード線１０５ｂに接続される接触部１１９ｃと、接触部１１９ｃと本体部１１９ａとを接続する連結部１１９ｄとを有する。なお、連結部１１９ｄは、本体部１１９ａおよび接触部１１９ｃよりもコイルが粗く巻装されていることが好ましい。この場合、給電端子１１９を照明装置のソケットに装着させる際等に、本体部１１９ａから接続部１１９ｂを介して外部リード線１０５ｂに伝わる負荷を連結部１１９ｄが緩衝材の役割を果たして緩和することができる。
【０１０３】
給電端子１１９は、本発明の第１の実施形態に係る蛍光ランプおよびその変形例１〜６に適用することができる。特に、本発明の第１の実施形態に係る蛍光ランプの変形例１〜６を適用する場合に、一方の給電端子と他方の給電端子とを判別しやすくすることができる。なお、変形例６を適用する場合には、給電端子１１９の本体部１１９ａのコイルのピッチ間に形成される隙間をスリットとすることができる。コイルのピッチ間は、１［ｍｍ］以上５［ｍｍ］以下の範囲内であることが好ましい。この場合、コイルのピッチ間に形成される隙間から見える蛍光体層の端の位置によって、一方の給電端子と他方の給電端子とを判別しやすくすることができる。より好ましくは、２［ｍｍ］以上４［ｍｍ］以下の範囲内である。
３．一方の給電端子および他方の給電端子
本発明の第１の実施形態および各変形例において、一方の給電端子と他方の給電端子とを逆の構成としても、上述した作用効果は、同様に有するものである。
４．電子放射性物質
電極１０３、１０４の表面には、電子放射性物質層（図示せず）が形成されていてもよい。この場合、電子放射性物質層が設けられていないランプに比べてランプ電圧を下げることができる。具体的には、電子放射性物質層は、例えば電極１０３、１０４の内面に形成されている。電子放射性物質層は、例えば希土類元素を含む。冷陰極蛍光ランプにおいて、ランプ電圧を下げるのに効果的なためである。さらに、希土類元素は、ランタン（Ｌａ）およびイットリウム（Ｙ）のうちいずれか１種以上であることがより好ましい。
【０１０４】
電子放射性物質層は、さらに珪素（Ｓｉ）、アルミニウム（Ａｌ）、ジルコニウム（Ｚｒ）、硼素（Ｂ）、亜鉛（Ｚｎ）、ビスマス（Ｂｉ）、リン（Ｐ）および錫（Ｓｎ）のうちいずれか１種以上を含むことが好ましい。この場合、ランプ電圧の低減効果をより持続させることができる。
【０１０５】
さらに、電子放射性物質層に、セシウム（Ｃｓ）化合物が含まれていてもよい。この場合、ランプの暗黒始動特性をさらに向上させることができる。また、電子放射性物質層として、電極１０３、１０４の内面や外面にセシウム化合物を付着させてもよいし、電子放射性物質層とは別に、電極１０３、１０４の内面や外面にセシウム化合物を付着させてもよい。なお、セシウム化合物は、例えば、硫酸セシウム、アルミン酸セシウム、ニオブ酸セシウム、タングステン酸セシウム、モリブデン酸セシウムおよび塩化セシウムのうちいずれか１種以上を用いることが好ましい。また、セシウム化合物は、電極１０３、１０４の外側側面に付着されていることがより好ましい。この場合、冷陰極蛍光ランプの製造工程において、セシウム化合物を適度に活性化させやすくすることができる。さらには、電極１０３、１０４の外側側面におけるランプ中央部側の先端部に付着されていることがさらにより好ましい。
５．ガラスバルブ
（１）バルブ１０２の熱膨張係数は、３．０×１０-6［Ｋ-1］以上１０．０×１０-6［Ｋ-1］以下の範囲内のものを用いることができる。特に、バルブ１０２の熱膨張係数は、８．０×１０-6［Ｋ-1］以上１０．０×１０-6［Ｋ-1］以下の範囲内であることが好ましい。この場合、ガラスの強度が弱くなるため、本発明の作用効果を特に発揮できる。
【０１０６】
（２）紫外線吸収
バルブ１０２の材料であるガラスに遷移金属の酸化物をその種類によって所定量をドープすることにより２５４［ｎｍ］や３１３［ｎｍ］の紫外線を吸収することができる。具体的には、例えば酸化チタン（ＴｉＯ2）の場合は、組成比率０．０５［ｍｏｌ％］以上ドープすることにより２５４［ｎｍ］の紫外線を吸収し、組成比率２［ｍｏｌ％］以上ドープすることにより３１３［ｎｍ］の紫外線を吸収することができる。ただし、酸化チタンを組成比率５．０［ｍｏｌ％］より多くドープした場合には、ガラスが失透してしまうため、組成比率０．０５［ｍｏｌ％］以上５．０［ｍｏｌ％］以下の範囲でドープすることが好ましい。
【０１０７】
また、酸化セリウム（ＣｅＯ2）の場合は、組成比率０．０５［ｍｏｌ％］以上ドープすることにより２５４［ｎｍ］の紫外線を吸収することができる。ただし、酸化セリウムを組成比率０．５［ｍｏｌ％］より多くドープした場合には、ガラスが着色してしまうため、酸化セリウムを組成比率０．０５［ｍｏｌ％］以上０．５［ｍｏｌ％］以下の範囲でドープすることが好ましい。なお、酸化セリウムに加えて酸化スズ（ＳｎＯ）をドープすることにより、酸化セリウムによるガラスの着色を抑えることができるため、酸化セリウムを組成比率５．０［ｍｏｌ％］以下までドープすることができる。この場合、酸化セリウムを組成比率０．５［ｍｏｌ％］以上ドープすれば３１３［ｎｍ］の紫外線を吸収することができる。ただし、この場合においても酸化セリウムを組成比率が５．０［ｍｏｌ％］より多くドープした場合には、ガラスが失透してしまう。
【０１０８】
また、酸化亜鉛（ＺｎＯ）の場合は、組成比率２．０［ｍｏｌ％］以上ドープすることにより２５４［ｎｍ］の紫外線を吸収することができる。ただし、酸化亜鉛を組成比率２０［ｍｏｌ％］より多くドープした場合、ガラスが失透してしまうおそれがあるため、酸化亜鉛を２．０［ｍｏｌ％］以上２０［ｍｏｌ％］以下の範囲でドープすることが好ましい。
【０１０９】
また、酸化鉄（Ｆｅ2Ｏ3）の場合は、組成比率０．０１［ｍｏｌ％］以上ドープすることにより２５４［ｎｍ］の紫外線を吸収することができる。ただし、酸化鉄を組成比率２．０［ｍｏｌ％］より多くドープした場合には、ガラスが着色してしまうため、酸化鉄を組成比率０．０１［ｍｏｌ％］以上２．０［ｍｏｌ％］以下の範囲でドープすることが好ましい。
【０１１０】
（３）赤外線透過係数
バルブ１０２の材料であるガラス中の水分含有量を示す赤外線透過率係数は、０．３以上１．２以下の範囲、特に０．４以上０．８以下の範囲となるように調整することが好ましい。赤外線透過率係数が１．２以下であれば、長尺の冷陰極蛍光ランプ等の高電圧印加ランプに適用可能な低い誘電正接を得やすくなり、０．８以下であれば誘電正接が十分に小さくなって、さらに高電圧印加ランプに適用可能となる。
【０１１１】
なお、赤外線透過率係数（Ｘ）は下式で表すことができる。
【０１１２】
［数１］Ｘ＝（ｌｏｇ（ａ／ｂ））／ｔ
ａ：３８４０［ｃｍ-1］付近の極小点の透過率［％］
ｂ：３５６０［ｃｍ-1］付近の極小点の透過率［％］
ｔ：ガラスの厚み
（４）鉛フリーガラス
バルブ１０２に用いるガラスは、酸化物換算で、ＳｉＯ2が６０［ｗｔ％］〜７５［ｗｔ］％、Ａｌ2Ｏ3が１［ｗｔ％］〜５［ｗｔ％］、Ｌｉ2Ｏが０［ｗｔ％］〜５［ｗｔ％］、Ｋ2Ｏが３［ｗｔ％］〜１１［ｗｔ％］、Ｎａ2Ｏが３［ｗｔ％］〜１２［ｗｔ％］、ＣａＯが０［ｗｔ％］〜９［ｗｔ％］、ＭｇＯが０［ｗｔ％］〜９［ｗｔ％］、ＳｒＯが０［ｗｔ％］〜１２［ｗｔ％］、ＢａＯが０［ｗｔ％］〜１２［ｗｔ％］の組成を有していてもよい。この場合、鉛成分を含有せず、環境に優しい冷陰極放電ランプを提供することができる。さらには、バルブ１０２に用いるガラスは、酸化物換算で、ＳｉＯ2が６０［ｗｔ％］〜７５［ｗｔ］％、Ａｌ2Ｏ3が１［ｗｔ％］〜５［ｗｔ％］、Ｂ2Ｏ3が０［ｗｔ％］〜３［ｗｔ％］、Ｌｉ2Ｏが０［ｗｔ％］〜５［ｗｔ％］、Ｋ2Ｏが３［ｗｔ％］〜１１［ｗｔ％］、Ｎａ2Ｏが３［ｗｔ％］〜１２［ｗｔ％］、ＣａＯが０［ｗｔ％］〜９［ｗｔ％］、ＭｇＯが０［ｗｔ％］〜９［ｗｔ％］、ＳｒＯが０［ｗｔ％］〜１２［ｗｔ％］、ＢａＯが０［ｗｔ％］〜１２［ｗｔ％］の組成を有していることがより好ましい。
【０１１３】
また、バルブ１０２に用いるガラスは、酸化物換算で、ＳｉＯ2が６０［ｗｔ％］〜７５［ｗｔ］％、Ａｌ2Ｏ3が１［ｗｔ％］〜５［ｗｔ％］、Ｌｉ2Ｏが０．５［ｗｔ％］〜５［ｗｔ％］、Ｋ2Ｏが３［ｗｔ％］〜７［ｗｔ％］、Ｎａ2Ｏが５［ｗｔ％］〜１２［ｗｔ％］、ＣａＯが１［ｗｔ％］〜７［ｗｔ％］、ＭｇＯが１［ｗｔ％］〜７［ｗｔ％］、ＳｒＯが０［ｗｔ％］〜５［ｗｔ％］、ＢａＯが７［ｗｔ％］〜１２［ｗｔ％］の組成を有していてもよい。この場合、ランプへの加工を行いやすく、かつ鉛成分を含有せず、環境に優しい冷陰極蛍光ランプを提供することができる。
【０１１４】
さらに、バルブ１０２に用いるガラスは、酸化物換算で、ＳｉＯ2が６５［ｗｔ％］〜７５［ｗｔ］％、Ａｌ2Ｏ3が１［ｗｔ％］〜５［ｗｔ％］、Ｂ2Ｏ3が０［ｗｔ％］〜３［ｗｔ％］、Ｌｉ2Ｏが０．５［ｗｔ％］〜５［ｗｔ％］、 Ｋ2Ｏが３［ｗｔ％］〜７［ｗｔ％］、Ｎａ2Ｏが５［ｗｔ％］〜１２［ｗｔ％］、 ＣａＯが２［ｗｔ％］〜７［ｗｔ％］、ＭｇＯが２．１［ｗｔ％］〜７［ｗｔ％］、ＳｒＯが０［ｗｔ％］〜０．９［ｗｔ％］、ＢａＯが７．１［ｗｔ％］〜１２［ｗｔ％］の組成を有していてもよい。この場合、鉛成分を含有せず、照明用途に適した電気絶縁性を有し、かつ、失透を起こりにくくすることができる。さらには、バルブ１０２に用いるガラスは、酸化物換算で、ＳｉＯ2が６５［ｗｔ％］〜７５［ｗｔ］％、Ａｌ2Ｏ3が１［ｗｔ％］〜３［ｗｔ％］、Ｂ2Ｏ3が０［ｗｔ％］〜３［ｗｔ％］、Ｌｉ2Ｏが１［ｗｔ％］〜３［ｗｔ％］、Ｋ2Ｏが３［ｗｔ％］〜６［ｗｔ％］、Ｎａ2Ｏが７［ｗｔ％］〜１０［ｗｔ％］、 ＣａＯが３［ｗｔ％］〜６［ｗｔ％］、ＭｇＯが３［ｗｔ％］〜６［ｗｔ％］、ＳｒＯが０［ｗｔ％］〜０．９［ｗｔ％］、ＢａＯが７．１〜１０［ｗｔ％］の組成を有していることがより好ましい。
【０１１５】
（５）バルブの形状
バルブ１０２の管軸に対して略垂直に切った断面は、略円形状のものに限られず、例えばトラック形状や角丸形状のような扁平形状や楕円形状等であってもよい。
６．蛍光体層の蛍光体
（１）紫外線吸収
例えば、近年、液晶カラーテレビの大型化に伴って、バックライトユニットの開口を塞ぐ拡散板に寸法安定性の良いポリカーボネートが使用されるようになっている。このポリカーボネートは、水銀が発する３１３［ｎｍ］の波長の紫外線により劣化しやすい。このような場合には、波長３１３［ｎｍ］の紫外線を吸収する蛍光体を利用すると良い。なお、３１３［ｎｍ］の紫外線を吸収する蛍光体としては、以下のものがある。
【０１１６】
（ａ）青色
ユーロピウム・マンガン共付活アルミン酸バリウム・ストロンチウム・マグネシウム［Ｂａ1-x-yＳｒxＥｕyＭｇ1-zＭｎzＡｌ10Ｏ17］又は［Ｂａ1-x-yＳｒxＥｕyＭｇ2-zＭｎzＡｌ16Ｏ27］
ここで、ｘ,ｙ,ｚはそれぞれ０≦ｘ≦０．４、  ０．０７≦ｙ≦０．２５、  ０≦ｚ＜０．１なる条件を満たす数であるであることが好ましい。
【０１１７】
このような蛍光体としては、例えば、ユーロピウム付活アルミン酸バリウム・マグネシウム[ＢａＭｇ2Ａｌ16Ｏ27：Ｅｕ2+]、[ＢａＭｇＡｌ10Ｏ17：Ｅｕ2+] (略号：ＢＡＭ−Ｂ)や、ユーロピウム付活アルミン酸バリウム・ストロンチウム・マグネシウム[（Ｂａ，Ｓｒ）Ｍｇ2Ａｌ16Ｏ27：Ｅｕ2+]、[（Ｂａ，Ｓｒ）ＭｇＡｌ10Ｏ17：Ｅｕ2+]（略号：ＳＢＡＭ−Ｂ）等がある。
【０１１８】
（ｂ）緑色
・マンガン不活マグネシウムガレート［ＭｇＧａ2Ｏ4：Ｍｎ2+］（略号：ＭＧＭ）  
・マンガン付活アルミン酸セリウム・マグネシウム・亜鉛[Ｃｅ（Ｍｇ，Ｚｎ）Ａｌ11Ｏ19：Ｍｎ2+]（略号：ＣＭＺ）
・テルビウム付活アルミン酸セリウム・マグネシウム[ＣｅＭｇＡｌ11Ｏ19：Ｔｂ3+]（略号：ＣＡＴ）
・ユーロピウム・マンガン共付活アルミン酸バリウム・ストロンチウム・マグネシウム［Ｂａ1-x-yＳｒxＥｕyＭｇ1-zＭｎzＡｌ10Ｏ17］又は［Ｂａ1-x-yＳｒxＥｕyＭｇ2-zＭｎzＡｌ16Ｏ27］
ここで、ｘ,ｙ,ｚはそれぞれ０≦ｘ≦０．４、  ０．０７≦ｙ≦０．２５、  ０．１≦ｚ≦０．６なる条件を満たす数であり、ｚは０．４≦ｘ≦０．５であることが好ましい。
【０１１９】
このような蛍光体としては、例えば、ユーロピウム・マンガン共付活アルミン酸バリウム・マグネシウム[ＢａＭｇ2Ａｌ16Ｏ27：Ｅｕ2+，Ｍｎ2+]、[ＢａＭｇＡｌ10Ｏ17：Ｅｕ2+，Ｍｎ2+]（略号：ＢＡＭ−Ｇ）や、ユーロピウム・マンガン共付活アルミン酸バリウム・ストロンチウム・マグネシウム[（Ｂａ，Ｓｒ）Ｍｇ2Ａｌ16Ｏ27：Ｅｕ2+，Ｍｎ2+]、[（Ｂａ，Ｓｒ）ＭｇＡｌ10Ｏ17：Ｅｕ2+，Ｍｎ2+]（略号：ＳＢＡＭ−Ｇ）等がある。
【０１２０】
（ｃ）赤色
・ユーロピウム付活リン・バナジン酸イットリウム[Ｙ（Ｐ，Ｖ）Ｏ4：Ｅｕ3+]（略号：ＹＰＶ）
・ユーロピウム付活バナジン酸イットリウム［ＹＶＯ4：Ｅｕ3+］（略号：ＹＶＯ）
・ユーロピウム付活イットリウムオキシサルファイド[Ｙ2Ｏ2Ｓ：Ｅｕ3+]（略号：ＹＯＳ）
・マンガン付活フッ化ゲルマン酸マグネシウム[３．５ＭｇＯ・０．５ＭｇＦ2・ＧｅＯ2：Ｍｎ4+]（略号：ＭＦＧ）
・ジスプロシウム付活バナジン酸イットリウム［ＹＶＯ4：Ｄｙ3+］（赤と緑の２成分発光蛍光体であり、略号：ＹＤＳ）
なお、一種類の発光色に対して、異なる化合物の蛍光体を混合して用いても良い。例えば、青色にＢＡＭ−Ｂ（３１３［ｎｍ］を吸収する。）のみ、緑色にＬＡＰ（３１３［ｎｍ］を吸収しない。）とＢＡＭ−Ｇ（３１３［ｎｍ］を吸収する。）、赤色にＹＯＸ（３１３ｎｍを吸収しない。）とＹＶＯ（３１３［ｎｍ］を吸収する。）の蛍光体を用いても良い。このような場合は、前述のように波長３１３［ｎｍ］を吸収する蛍光体が、総重量組成比率で５０％より大きくなるように調整することで、紫外線がガラスバルブ外に漏れ出ることをほとんど防止できる。したがって、３１３［ｎｍ］の紫外線を吸収する蛍光体を蛍光体層１０１に含む場合には、上記のバックライトユニットの開口を塞ぐポリカーボネート（ＰＣ）からなる拡散板等の紫外線による劣化が抑制され、バックライトユニットとしての特性を長時間維持することができる。
【０１２１】
ここで、「３１３［ｎｍ］の紫外線を吸収する」とは、２５４［ｎｍ］付近の励起波長スペクトル（励起波長スペクトルとは、蛍光体を波長変化させながら励起発光させ、励起波長と発光強度をプロットしたものである。）の強度を１００［％］としたときに、３１３［ｎｍ］の励起波長スペクトルの強度が８０［％］以上のものと定義する。すなわち、３１３［ｎｍ］の紫外線を吸収する蛍光体とは、３１３［ｎｍ］の紫外線を吸収して可視光に変換できる蛍光体である。
【０１２２】
（２）高色再現について
液晶カラーテレビで代表される液晶表示装置では、近年における高画質化の一環としてなされる高色再現化に伴い、当該液晶表示装置のバックライトユニットの光源として用いられる冷陰極蛍光ランプにおいて、再現可能な色度範囲の拡大化の要請がある。
【０１２３】
このような要請に対して、例えば、以下の蛍光体を用いることで、実施の形態での蛍光体を用いる場合よりも、色度範囲の拡大を図ることができる。具体的には、ＣＩＥ１９３１色度図において、高色再現用の当該蛍光体の色度座標値が、実施の形態で使用した３つの蛍光体の色度座標値を結んでできる三角形を含んで色再現範囲を広げる座標に位置する。
【０１２４】
（ａ）青色
・ユーロピウム付活ストロンチウム・クロロアパタイト[Ｓｒ10（ＰＯ4）6Ｃｌ2：Ｅｕ2+]（略号：ＳＣＡ）、色度座標：ｘ＝０．１５１、ｙ＝０．０６５
上記以外に、ユーロピウム付活ストロンチウム・カルシウム・バリウム・クロロアパタイト[（Ｓｒ，Ｃａ，Ｂａ）10（ＰＯ4）6Ｃｌ2：Ｅｕ2+]（略号：ＳＢＣＡ）も使用でき、上記波長３１３（ｎｍ）の紫外線も吸収できるＳＢＡＭ−Ｂも高色再現用に使用できる。
【０１２５】
（ｂ）緑色
・ＢＡＭ−Ｇ、色度座標：ｘ＝０．１３９、ｙ＝０．５７４
・ＣＭＺ、色度座標：ｘ＝０．１６４、ｙ＝０．７２２
・ＣＡＴ、色度座標：ｘ＝０．２６７、ｙ＝０．６６３
なお、これらは上述したように、波長３１３［ｎｍ］の紫外線も吸収でき、また、ここで説明した３つの蛍光体粒子以外にも、ＭＧＭも高色再現用に使用することもできる。
【０１２６】
（ｃ）赤色
・ＹＯＳ、色度座標：ｘ＝０．６５１、ｙ＝０．３４４
・ＹＰＶ、色度座標：ｘ＝０．６５８、ｙ＝０．３３３
・ＭＦＧ、色度座標：ｘ＝０．７１１、ｙ＝０．２８７
なお、これらは上述したように、波長３１３［ｎｍ］の紫外線も吸収でき、また、ここで説明した３つの蛍光体粒子以外にも、ＹＶＯ、ＹＤＳも高色再現用に使用することもできる。
【０１２７】
また、上記で示した色度座標値は各々の蛍光体の粉体のみで測定した代表値であり、測定方法（測定原理）等に起因して、各蛍光体の粉体が示す色度座標値は、上掲した値と若干異なる場合があり得る。参考として上記実施の形態１の各蛍光体の粉体の色度座標値は、ＹＯＸ（ｘ＝０．６４４、ｙ＝０．３５３）、ＬＡＰ（ｘ＝０．３５１、ｙ＝０．５８５）、ＢＡＭ−Ｂ（ｘ＝０．１４８、ｙ＝０，０５６）で構成されている。
【０１２８】
さらに、赤、緑、青の各色を発光させるために用いる蛍光体は各波長につき１種類に限らず、複数種類を組み合わせて用いることとしても良い。
【０１２９】
ここで、上記の高色再現用の蛍光体粒子を用いて蛍光体層１０１を形成した場合について説明する。ここでの評価は、ＣＩＥ１９３１色度図内においてＮＴＳＣ規格の３原色の色度座標値を結ぶＮＴＳＣ三角形（ＮＴＳＣtriangle）の面積を基準とした、高色再現用の蛍光体を用いた場合の３つの色度座標値を結んできる三角形の面積の比（以下、ＮＴＳＣ比という。）で行なう。
【０１３０】
例えば、青色としてＢＡＭ−Ｂ、緑色としてＢＡＭ−Ｇ、赤色としてＹＶＯを用いると（例１）ＮＴＳＣ比が９２［％］となり、また、青色としてＳＣＡ、緑色としてＢＡＭ−Ｇ、赤色としてＹＶＯを用いると（例２）ＮＴＳＣ比が１００［％］となり、また、青色としてＳＣＡ、緑色としてＢＡＭ−Ｇ、赤色としてＹＯＸを用いると（例３）、ＮＴＳＣ比が９５［％］となり、例１及び２に比べて輝度を１０［％］向上させることができる。
【０１３１】
なお、ここでの評価に用いた色度座標値は、ランプ等が組み込まれた液晶表示装置とした状態で測定したものである為、カラーフィルターとの組み合わせにより色再現範囲が上記値より前後する可能性がある。
７．封入ガス
希ガスにクリプトンが含まれていてもよい。この場合、低圧放電ランプが冷陰極蛍光ランプである場合に赤外線放射を抑制することができる。さらには、希ガスにクリプトンが０．５［ｍｏｌ％］以上５［ｍｏｌ％］以下の範囲内で含まれていることが好ましい。この場合、ランプ電圧を大きく変化させることなく、冷陰極蛍光ランプの赤外線放射を抑制することができる。例えば、アルゴンが０［ｍｏｌ％］以上９．５［ｍｏｌ％］以下の範囲内、ネオンが９０［ｍｏｌ％］以上９５．５［ｍｏｌ％］以下の範囲内、クリプトンが０．５［ｍｏｌ％］以上５［ｍｏｌ％］以下の範囲内である。さらには、希ガスにクリプトンが０．５［ｍｏｌ％］以上３［ｍｏｌ％］以下の範囲内で含まれていることがより好ましい。さらには、希ガスにクリプトンが１［ｍｏｌ％］以上３［ｍｏｌ％］以下の範囲内で含まれていることがより好ましい。
【産業上の利用可能性】
【０１３２】
本発明は、蛍光ランプ、照明装置、照明装置の製造方法および表示装置に広く適用することができる。
【符号の説明】
【０１３３】
１００、１１１、１１２、１１３、１１４、１１５、１１６  蛍光ランプ
１０１  蛍光体層
１０２  バルブ
１０３、１０４  電極
１０５、１０６  リード線
１０７  一方の給電端子
１０８  他方の給電端子
１０７ａ、１０８ａ  本体部
１０７ｂ、１０８ｂ  接続部
２００  照明装置
３００  画像表示装置
【図１】
2011023166.tif 000003
【図２】
2011023166.tif 000004
【図３】
2011023166.tif 000005
【図４】
2011023166.tif 000006
【図５】
2011023166.tif 000007
【図６】
2011023166.tif 000008
【図７】
2011023166.tif 000009
【図８】
2011023166.tif 000010
【図９】
2011023166.tif 000011
【図１０】
2011023166.tif 000012
【図１１】
2011023166.tif 000013